(57)【要約】  本開示は、ハイブリッド自動再送要求ＨＡＲＱフィードバック方法及び装置を提供し、前記方法は、少なくとも１つのターゲットＨＡＲＱ結果を決定するステップであって、少なくとも１つのターゲットＨＡＲＱ結果は、少なくとも１つのターゲット物理ダウンリンク共有チャンネルＰＤＳＣＨにそれぞれ対応するＨＡＲＱ結果であるステップと、少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するステップであって、ターゲットＰＵＣＣＨは、対応するターゲットＰＵＣＣＨリソースがグループＨＡＲＱ結果をキャリアするために用いられるＰＵＣＣＨであるステップと、ターゲットＰＵＣＣＨリソースによってグループＨＡＲＱ結果を運搬し、ターゲットＰＵＣＣＨを基地局に送信するステップと、を含む。  【選択図】図１
2022501976.tif 000002
【特許請求の範囲】
【請求項１】
ハイブリッド自動再送要求ＨＡＲＱフィードバック方法であって、
前記方法は時分割複信マシンタイプ通信ＴＤＤ  ＭＴＣ機器に適用され、前記方法は、
少なくとも１つのターゲットＨＡＲＱ結果を決定するステップであって、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨであるステップと、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するステップであって、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられるステップと、
前記ターゲットＰＵＣＣＨリソースによって前記グループＨＡＲＱ結果を運搬し、前記ターゲットＰＵＣＣＨを基地局に送信するステップと、を含む、
ことを特徴とするハイブリッド自動再送要求ＨＡＲＱフィードバック方法。
【請求項２】
前記少なくとも１つのターゲットＰＤＳＣＨの数が１である場合、
前記候補ＰＵＣＣＨに対応するリソースインデックス値である候補インデックス値を決定し、
前記候補インデックス値で指示されたＰＵＣＣＨを前記候補ＰＵＣＣＨとする、という方式を採用して前記候補ＰＵＣＣＨを決定する、
ことを特徴とする請求項１に記載の方法。
【請求項３】
候補インデックス値を決定するステップは、
第１の予め設定された関数の第１の関数値、ターゲット開始位置に対応する数値、第２の予め設定された関数の第２の関数値及び第１のターゲットオフセット量に基づいて、前記候補インデックス値を決定するステップであって、
前記第１の予め設定された関数は、ターゲットサーチスペースのＣＣＥインデックス値に対応する予め設定された関数であり、前記ターゲットＣＣＥインデックス値は、前記現在のＰＤＣＣＨに対応する最小のＣＣＥインデックス値であり、前記ターゲット開始位置は、ＨＡＲＱ結果を運搬するためのＰＵＣＣＨチャンネルに対応するリソースの開始位置であり、前記第２の予め設定された関数は、第１のターゲット値及び第２のターゲット値に対応する予め設定された関数であり、前記第１のターゲット値は、ＴＤＤ  ＭＴＣシステムのサブフレーム配置と現在のサブフレーム位置に対応する数値であり、前記第２のターゲット値は、現在のＰＤＣＣＨを運搬する物理リソースブロックに含まれるＣＣＥの数であり、前記第１のターゲットオフセット量は、前記現在のＰＤＣＣＨで運搬された、ＨＡＲＱ結果をフィードバックするためのＰＵＣＣＨリソースのオフセット量であるステップを含む、
ことを特徴とする請求項２に記載の方法。
【請求項４】
前記少なくとも１つのターゲットＰＤＳＣＨの数が複数である場合、
少なくとも１つの候補ＰＵＣＣＨにおける最初の候補ＰＵＣＣＨに対応するリソースインデックス値である第１の候補インデックス値を決定し、
前記第１の候補インデックス値で指示されたＰＵＣＣＨを前記最初の候補ＰＵＣＣＨとし、
他の候補ＰＵＣＣＨにそれぞれ対応する第２のターゲットオフセット量を決定し、ここで、前記他の候補ＰＵＣＣＨは最初の候補ＰＵＣＣＨ以外の候補ＰＵＣＣＨであり、前記第２のターゲットオフセット量は最初の候補ＰＵＣＣＨに対する現在の他の候補ＰＵＣＣＨのリソースオフセット量であり、
前記最初の候補ＰＵＣＣＨのリソースが存在する位置に対応する数値及び前記第２のターゲットオフセット量に基づいて、第２の候補インデックス値を決定し、
前記第２の候補インデックス値で指示されたＰＵＣＣＨを前記他の候補ＰＵＣＣＨとする、という方式を採用して前記候補ＰＵＣＣＨを決定する、
ことを特徴とする請求項１に記載の方法。
【請求項５】
他の候補ＰＵＣＣＨにそれぞれ対応する第２のターゲットオフセット量を決定するステップは、
基地局が予め設定されたシグナリングを介して送信した、各他の候補ＰＵＣＣＨに対応する第２のターゲットオフセット量を受信するステップ、または
予め設定されたリソースオフセット量を前記第２のターゲットオフセット量とするステップを含む、
ことを特徴とする請求項４に記載の方法。
【請求項６】
前記少なくとも１つのターゲットＰＤＳＣＨの数が複数である場合、
前記基地局が第１のターゲットシグナリングを介して送信した、少なくとも１つのＰＵＣＣＨを含むＰＵＣＣＨセットを受信し、
前記ＰＵＣＣＨセットにおけるすべてのＰＵＣＣＨを候補ＰＵＣＣＨとする、という方式を採用して前記候補ＰＵＣＣＨを決定する、
ことを特徴とする請求項１に記載の方法。
【請求項７】
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するステップは、
複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を決定するステップを含む、
ことを特徴とする請求項１に記載の方法。
【請求項８】
少なくとも１つのターゲットＨＡＲＱ結果を決定するステップは、
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果が正しいか間違っているかを決定するステップ、または
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果がすべて、前記現在のＰＤＣＣＨを受信していないと決定するステップを含む、
ことを特徴とする請求項１に記載の方法。
【請求項９】
ハイブリッド自動再送要求ＨＡＲＱフィードバック装置であって、
時分割複信マシンタイプ通信ＴＤＤ  ＭＴＣ機器に適用され、前記装置は、
少なくとも１つのターゲットＨＡＲＱ結果を決定するように構成される第１の決定モジュールであって、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨである第１の決定モジュールと、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するように構成される第２の決定モジュールであって、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられる第２の決定モジュールと、
前記ターゲットＰＵＣＣＨリソースによって前記グループＨＡＲＱ結果を運搬し、前記ターゲットＰＵＣＣＨを基地局に送信するように構成される送信モジュールと、を含む、
ことを特徴とするハイブリッド自動再送要求ＨＡＲＱフィードバック装置。
【請求項１０】
前記第２の決定モジュールは、
前記少なくとも１つのターゲットＰＤＳＣＨの数が１である場合、前記候補ＰＵＣＣＨに対応するリソースインデックス値である候補インデックス値を決定するように構成される候補インデックス値決定サブモジュールと、
前記候補インデックス値で指示されたＰＵＣＣＨを前記候補ＰＵＣＣＨとするように構成される第１の決定サブモジュールと、を含む、
ことを特徴とする請求項９に記載の装置。
【請求項１１】
前記候補インデックス値決定サブモジュールは、
第１の予め設定された関数の第１の関数値、ターゲット開始位置に対応する数値、第２の予め設定された関数の第２の関数値及び第１のターゲットオフセット量に基づいて、前記候補インデックス値を決定するように構成される候補インデックス値決定ユニットであって、
前記第１の予め設定された関数は、ターゲットサーチスペースのＣＣＥインデックス値に対応する予め設定された関数であり、前記ターゲットＣＣＥインデックス値は、前記現在のＰＤＣＣＨに対応する最小のＣＣＥインデックス値であり、前記ターゲット開始位置は、ＨＡＲＱ結果を運搬するためのＰＵＣＣＨチャンネルに対応するリソースの開始位置であり、前記第２の予め設定された関数は、第１のターゲット値及び第２のターゲット値に対応する予め設定された関数であり、前記第１のターゲット値は、ＴＤＤ  ＭＴＣシステムのサブフレーム配置と現在のサブフレーム位置に対応する数値であり、前記第２のターゲット値は、現在のＰＤＣＣＨを運搬する物理リソースブロックに含まれるＣＣＥの数であり、前記第１のターゲットオフセット量は、前記現在のＰＤＣＣＨで運搬された、ＨＡＲＱ結果をフィードバックするためのＰＵＣＣＨリソースのオフセット量である候補インデックス値決定ユニットを含む、
ことを特徴とする請求項１０に記載の装置。
【請求項１２】
前記第２の決定モジュールは、
前記少なくとも１つのターゲットＰＤＳＣＨの数が複数である場合、少なくとも１つの候補ＰＵＣＣＨにおける最初の候補ＰＵＣＣＨに対応するリソースインデックス値である第１の候補インデックス値を決定するように構成される第１のインデックス値決定サブモジュールと、
前記第１の候補インデックス値で指示されたＰＵＣＣＨを前記最初の候補ＰＵＣＣＨとするように構成される第２の決定サブモジュールと、
他の候補ＰＵＣＣＨにそれぞれ対応する第２のターゲットオフセット量を決定するように構成されるオフセット量決定サブモジュールであって、前記他の候補ＰＵＣＣＨは最初の候補ＰＵＣＣＨ以外の候補ＰＵＣＣＨであり、前記第２のターゲットオフセット量は最初の候補ＰＵＣＣＨに対する現在の他の候補ＰＵＣＣＨのリソースオフセット量であるオフセット量決定サブモジュールと、
前記最初の候補ＰＵＣＣＨのリソースが存在する位置に対応する数値及び前記第２のターゲットオフセット量に基づいて、第２の候補インデックス値を決定するように構成される第２のインデックス値決定サブモジュールと、
前記第２の候補インデックス値で指示されたＰＵＣＣＨを前記他の候補ＰＵＣＣＨとするように構成される第３の決定サブモジュールと、を含む、
ことを特徴とする請求項９に記載の装置。
【請求項１３】
前記オフセット量決定サブモジュールは、
基地局が予め設定されたシグナリングを介して送信した、各他の候補ＰＵＣＣＨに対応する第２のターゲットオフセット量を受信するように構成される第１の受信ユニット、または
予め設定されたリソースオフセット量を前記第２のターゲットオフセット量とするように構成される第２の受信ユニットを含む、
ことを特徴とする請求項１２に記載の装置。
【請求項１４】
前記第２の決定モジュールは、
前記少なくとも１つのターゲットＰＤＳＣＨの数が複数である場合、前記基地局が第１のターゲットシグナリングを介して送信した、少なくとも１つのＰＵＣＣＨを含むＰＵＣＣＨセットを受信するように構成される受信サブモジュールと、
前記ＰＵＣＣＨセットにおけるすべてのＰＵＣＣＨを候補ＰＵＣＣＨとするように構成される第４の決定サブモジュールと、を含む、
ことを特徴とする請求項９に記載の装置。
【請求項１５】
前記第２の決定モジュールは、
複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を決定するように構成される第５の決定サブモジュールを含む、
ことを特徴とする請求項９に記載の装置。
【請求項１６】
前記第１の決定モジュールは、
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果が正しいか間違っているかを決定するように構成される第６の決定サブモジュール、または
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果がすべて、前記現在のＰＤＣＣＨを受信していないと決定するように構成される第７の決定サブモジュールを含む、
ことを特徴とする請求項９に記載の装置。
【請求項１７】
コンピュータプログラムが記憶されているコンピュータ読み取り可能な記憶媒体であって、
前記コンピュータプログラムは、上記請求項１〜８のいずれかに記載のハイブリッド自動再送要求ＨＡＲＱフィードバック方法を実行するために用いられる、
ことを特徴とするコンピュータ読み取り可能な記憶媒体。
【請求項１８】
ハイブリッド自動再送要求ＨＡＲＱフィードバック装置であって、
時分割複信マシンタイプ通信ＴＤＤ  ＭＴＣ機器に適用され、
プロセッサと、
プロセッサによって実行可能な命令を記憶するためのメモリと、を含み、
前記プロセッサは、
少なくとも１つのターゲットＨＡＲＱ結果を決定し、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨであり、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定し、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられ、
前記ターゲットＰＵＣＣＨリソースによって前記グループＨＡＲＱ結果を運搬し、前記ターゲットＰＵＣＣＨを基地局に送信するように構成される、
ことを特徴とするハイブリッド自動再送要求ＨＡＲＱフィードバック装置。
【発明の詳細な説明】
【技術分野】
【０００１】
本開示は、通信分野に関し、特にハイブリッド自動再送要求ＨＡＲＱフィードバック方法及び装置に関する。
【背景技術】
【０００２】
近年、モノのインターネットが盛んに発展し、人類の生活と仕事に多くの便利をもたらした。その中で、ＭＴＣ（Ｍａｃｈｉｎｅ  Ｔｙｐｅ  Ｃｏｍｍｕｎｉｃａｔｉｏｎ、マシンタイプ通信）技術はセルラーモノのインターネット技術の典型的な代表である。
【０００３】
ＭＴＣシステムは、ＴＤＤ（Ｔｉｍｅ  Ｄｉｖｉｓｉｏｎ  Ｄｕｐｌｅｘｉｎｇ、時分割複信）ＭＴＣシステムとＦＤＤ（Ｆｒｅｑｕｅｎｃｙ  Ｄｉｖｉｓｉｏｎ  Ｄｕｐｌｅｘｉｎｇ、周波数分割二重化）ＭＴＣシステムに分けることができる。ＴＤＤ  ＭＴＣシステムでは、ＴＤＤ  ＭＴＣでスケジュールされたＰＤＳＣＨ（ＭＴＣ  ｐｈｙｓｉｃａｌ  ｄｏｗｎｌｉｎｋ  ｓｈａｒｅｄ  ｃｈａｎｎｅｌ  ＭＴＣ物理ダウンリンク共有チャンネル）が、繰り返して伝送するように構成されていない場合、ＨＡＲＱ（Ｈｙｂｒｉｄ  Ａｕｔｏｍａｔｉｃ  Ｒｅｐｅａｔ  ｒｅＱｕｅｓｔ、ハイブリッド自動再送要求）フィードバックの方式としてＰＵＣＣＨ（Ｐｈｙｓｉｃａｌ  Ｕｐｌｉｎｋ  Ｃｏｎｔｒｏｌ  ｃｈａｎｎｅｌ、物理アップリンク制御チャンネル）ｆｏｒｍａｔ  １ｂ  ｗｉｔｈ  ｃｈａｎｎｅｌ  ｓｅｌｅｃｔｉｏｎ（チャンネル選択付きフォーマット１ｂ）を使用することができる。
【０００４】
ＴＤＤ  ＭＴＣでのＰＵＣＣＨ  ｆｏｒｍａｔ  １ｂ  ｗｉｔｈ  ｃｈａｎｎｅｌ  ｓｅｌｅｃｔｉｏｎの使用は、従来のＴＤＤ  ＬＴＥ（Ｌｏｎｇ  Ｔｅｒｍ  Ｅｖｏｌｕｔｉｏｎ、長期的進化）と類似し、本質的にはＰＵＣＣＨｆｏｒｍａｔ１ｂに運搬されている内容とＰＵＣＣＨ伝送リソースの選択との連携を利用してＨＡＲＱのフィードバック状態を指示する。
【０００５】
しかしながら、１つのＰＤＣＣＨが複数のＰＤＳＣＨをスケジュールし、この時、１つのＰＤＣＣＨが１つの可能なＰＵＣＣＨリソースしか導出できないため、ＰＵＣＣＨリソースの選択を行うことができない。また、１つのＰＤＣＣＨが複数のＰＤＳＣＨをスケジュールするため、あるＨＡＲＱフィードバック状態がＤＴＸの状態になることもない。つまり、ＴＤＤ  ＭＴＣシステムにおけるＨＡＲＱフィードバック方式は最適化が必要である。
【発明の概要】
【発明が解決しようとする課題】
【０００６】
関連技術に存在する問題を克服するために、本開示の実施例は、ハイブリッド自動再送要求ＨＡＲＱフィードバック方法及び装置を提供する。
【課題を解決するための手段】
【０００７】
本開示の実施例の第１の態様によれば、ハイブリッド自動再送要求ＨＡＲＱフィードバック方法を提供し、前記方法は時分割複信マシンタイプ通信ＴＤＤ  ＭＴＣ機器に適用され、前記方法は、
少なくとも１つのターゲットＨＡＲＱ結果を決定するステップであって、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨであるステップと、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するステップであって、前記ターゲットＰＵＣＣＨは、対応するターゲットＰＵＣＣＨリソースがグループＨＡＲＱ結果を運搬（承載）するために用いられるＰＵＣＣＨであり、前記グループＨＡＲＱ結果及び前記ターゲットＰＵＣＣＨリソースは、前記複数のターゲットＨＡＲＱ結果を特徴づけるために用いられるステップと、
前記ターゲットＰＵＣＣＨリソースによって前記グループＨＡＲＱ結果を運搬し、前記ターゲットＰＵＣＣＨを基地局に送信するステップと、を含む。
【０００８】
選択可能に、前記少なくとも１つのターゲットＰＤＳＣＨの数が１である場合、
前記候補ＰＵＣＣＨに対応するリソースインデックス値である候補インデックス値を決定し、
前記候補インデックス値で指示されたＰＵＣＣＨを前記候補ＰＵＣＣＨとする、という方式を採用して前記候補ＰＵＣＣＨを決定する。
【０００９】
選択可能に、候補インデックス値を決定するステップは、
第１の予め設定された関数の第１の関数値、ターゲット開始位置に対応する数値、第２の予め設定された関数の第２の関数値及び第１のターゲットオフセット量に基づいて、前記候補インデックス値を決定するステップであって、
ここで、前記第１の予め設定された関数は、ターゲットサーチスペースのＣＣＥインデックス値に対応する予め設定された関数であり、前記ターゲットＣＣＥインデックス値は、前記現在のＰＤＣＣＨに対応する最小のＣＣＥインデックス値であり、前記ターゲット開始位置は、ＨＡＲＱ結果を運搬するためのＰＵＣＣＨチャンネルに対応するリソースの開始位置であり、前記第２の予め設定された関数は、第１のターゲット値及び第２のターゲット値に対応する予め設定された関数であり、前記第１のターゲット値は、ＴＤＤ  ＭＴＣシステムのサブフレーム配置と現在のサブフレーム位置に対応する数値であり、前記第２のターゲット値は、現在のＰＤＣＣＨを運搬する物理リソースブロックに含まれるＣＣＥの数であり、前記第１のターゲットオフセット量は、前記現在のＰＤＣＣＨで運搬された、ＨＡＲＱ結果をフィードバックするためのＰＵＣＣＨリソースのオフセット量であるステップを含む。
【００１０】
選択可能に、前記少なくとも１つのターゲットＰＤＳＣＨの数が複数である場合、
少なくとも１つの候補ＰＵＣＣＨにおける最初の候補ＰＵＣＣＨに対応するリソースインデックス値である第１の候補インデックス値を決定し、
前記第１の候補インデックス値で指示されたＰＵＣＣＨを前記最初の候補ＰＵＣＣＨとし、
他の候補ＰＵＣＣＨにそれぞれ対応する第２のターゲットオフセット量を決定し、ここで、前記他の候補ＰＵＣＣＨは最初の候補ＰＵＣＣＨ以外の候補ＰＵＣＣＨであり、前記第２のターゲットオフセット量は最初の候補ＰＵＣＣＨに対する現在の他の候補ＰＵＣＣＨのリソースオフセット量であり、
前記最初の候補ＰＵＣＣＨのリソースが存在する位置に対応する数値及び前記第２のターゲットオフセット量に基づいて、第２の候補インデックス値を決定し、
前記第２の候補インデックス値で指示されたＰＵＣＣＨを前記他の候補ＰＵＣＣＨとする、という方式を採用して前記候補ＰＵＣＣＨを決定する。
【００１１】
選択可能に、他の候補ＰＵＣＣＨにそれぞれ対応する第２のターゲットオフセット量を決定するステップは、
基地局が予め設定されたシグナリングを介して送信した、各他の候補ＰＵＣＣＨに対応する第２のターゲットオフセット量を受信するステップ、または  予め設定されたリソースオフセット量を前記第２のターゲットオフセット量とするステップを含む。
【００１２】
選択可能に、前記少なくとも１つのターゲットＰＤＳＣＨの数が複数である場合、
前記基地局が第１のターゲットシグナリングを介して送信した、少なくとも１つのＰＵＣＣＨを含むＰＵＣＣＨセットを受信し、
前記ＰＵＣＣＨセットにおけるすべてのＰＵＣＣＨを候補ＰＵＣＣＨとする、という方式を採用して前記候補ＰＵＣＣＨを決定する。
【００１３】
選択可能に、前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するステップは、
複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を決定するステップを含む。
【００１４】
選択可能に、少なくとも１つのターゲットＨＡＲＱ結果を決定するステップは、
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果が正しいか間違っているかを決定するステップ、または  現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果がすべて、前記現在のＰＤＣＣＨを受信していないと決定するステップを含む。
【００１５】
本開示の実施例の第２の態様によれば、ハイブリッド自動再送要求ＨＡＲＱフィードバック装置を提供し、前記装置は時分割複信マシンタイプ通信ＴＤＤ  ＭＴＣ機器に適用され、前記装置は、
少なくとも１つのターゲットＨＡＲＱ結果を決定するように構成される第１の決定モジュールであって、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨである第１の決定モジュールと、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するように構成される第２の決定モジュールであって、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられる第２の決定モジュールと、
前記ターゲットＰＵＣＣＨリソースによって前記グループＨＡＲＱ結果を運搬し、前記ターゲットＰＵＣＣＨを基地局に送信するように構成される送信モジュールと、を含む。
【００１６】
選択可能に、前記第２の決定モジュールは、
前記少なくとも１つのターゲットＰＤＳＣＨの数が１である場合、前記候補ＰＵＣＣＨに対応するリソースインデックス値である候補インデックス値を決定するように構成される候補インデックス値決定サブモジュールと、
前記候補インデックス値で指示されたＰＵＣＣＨを前記候補ＰＵＣＣＨとするように構成される第１の決定サブモジュールと、を含む。
【００１７】
選択可能に、前記候補インデックス値決定サブモジュールは、
第１の予め設定された関数の第１の関数値、ターゲット開始位置に対応する数値、第２の予め設定された関数の第２の関数値及び第１のターゲットオフセット量に基づいて、前記候補インデックス値を決定するように構成される候補インデックス値決定ユニットであって、
ここで、前記第１の予め設定された関数は、ターゲットサーチスペースのＣＣＥインデックス値に対応する予め設定された関数であり、前記ターゲットＣＣＥインデックス値は、前記現在のＰＤＣＣＨに対応する最小のＣＣＥインデックス値であり、前記ターゲット開始位置は、ＨＡＲＱ結果を運搬するためのＰＵＣＣＨチャンネルに対応するリソースの開始位置であり、前記第２の予め設定された関数は、第１のターゲット値及び第２のターゲット値に対応する予め設定された関数であり、前記第１のターゲット値は、ＴＤＤ  ＭＴＣシステムのサブフレーム配置と現在のサブフレーム位置に対応する数値であり、前記第２のターゲット値は、現在のＰＤＣＣＨを運搬する物理リソースブロックに含まれるＣＣＥの数であり、前記第１のターゲットオフセット量は、前記現在のＰＤＣＣＨで運搬された、ＨＡＲＱ結果をフィードバックするためのＰＵＣＣＨリソースのオフセット量である候補インデックス値決定ユニットを含む。
【００１８】
選択可能に、前記第２の決定モジュールは、
前記少なくとも１つのターゲットＰＤＳＣＨの数が複数である場合、少なくとも１つの候補ＰＵＣＣＨにおける最初の候補ＰＵＣＣＨに対応するリソースインデックス値である第１の候補インデックス値を決定するように構成される第１のインデックス値決定サブモジュールと、
前記第１の候補インデックス値で指示されたＰＵＣＣＨを前記最初の候補ＰＵＣＣＨとするように構成される第２の決定サブモジュールと、
他の候補ＰＵＣＣＨにそれぞれ対応する第２のターゲットオフセット量を決定するように構成されるオフセット量決定サブモジュールであって、ここで、前記他の候補ＰＵＣＣＨは最初の候補ＰＵＣＣＨ以外の候補ＰＵＣＣＨであり、前記第２のターゲットオフセット量は最初の候補ＰＵＣＣＨに対する現在の他の候補ＰＵＣＣＨのリソースオフセット量であるオフセット量決定サブモジュールと、
前記最初の候補ＰＵＣＣＨのリソースが存在する位置に対応する数値及び前記第２のターゲットオフセット量に基づいて、第２の候補インデックス値を決定するように構成される第２のインデックス値決定サブモジュールと、
前記第２の候補インデックス値で指示されたＰＵＣＣＨを前記他の候補ＰＵＣＣＨとするように構成される第３の決定サブモジュールと、を含む。
【００１９】
選択可能に、前記オフセット量決定サブモジュールは、
基地局が予め設定されたシグナリングを介して送信した、各他の候補ＰＵＣＣＨに対応する第２のターゲットオフセット量を受信するように構成される第１の受信ユニット、または  予め設定されたリソースオフセット量を前記第２のターゲットオフセット量とするように構成される第２の受信ユニットを含む。
【００２０】
選択可能に、前記第２の決定モジュールは、
前記少なくとも１つのターゲットＰＤＳＣＨの数が複数である場合、前記基地局が第１のターゲットシグナリングを介して送信した、少なくとも１つのＰＵＣＣＨを含むＰＵＣＣＨセットを受信するように構成される受信サブモジュールと、
前記ＰＵＣＣＨセットにおけるすべてのＰＵＣＣＨを候補ＰＵＣＣＨとするように構成される第４の決定サブモジュールと、を含む。
【００２１】
選択可能に、前記第２の決定モジュールは、
複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を決定するように構成される第５の決定サブモジュールを含む。
【００２２】
選択可能に、前記第１の決定モジュールは、
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果が正しいか間違っているかを決定するように構成される第６の決定サブモジュール、または  現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果がすべて、前記現在のＰＤＣＣＨを受信していないと決定するように構成される第７の決定サブモジュールを含む。
【００２３】
本開示の実施例の第３の態様によれば、コンピュータプログラムが記憶されているコンピュータ読み取り可能な記憶媒体を提供し、前記コンピュータプログラムは、上記第１の態様に記載のハイブリッド自動再送要求ＨＡＲＱフィードバック方法を実行するために用いられる。
【００２４】
本開示の実施例の第４の態様によれば、ハイブリッド自動再送要求ＨＡＲＱフィードバック装置を提供し、前記装置は、時分割複信マシンタイプ通信ＴＤＤ  ＭＴＣ機器に適用され、
プロセッサと、
プロセッサによって実行可能な命令を記憶するためのメモリと、を含み、
ここで、前記プロセッサは、
少なくとも１つのターゲットＨＡＲＱ結果を決定し、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨであり、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定し、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられ、
前記ターゲットＰＵＣＣＨリソースによって前記グループＨＡＲＱ結果を運搬し、前記ターゲットＰＵＣＣＨを基地局に送信するように構成される。
【発明の効果】
【００２５】
本開示の実施例によって提供される技術的手段は、以下の有益な効果を含むことができる。  本開示の実施例において、ＴＤＤ  ＭＴＣ機器は、まず少なくとも１つのターゲットＨＡＲＱ結果を決定でき、ここで、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたＰＤＳＣＨのうち、現在のサブフレームでＨＡＲＱ結果のフィードバックが必要な少なくとも１つのＰＤＳＣＨである。さらに、ＴＤＤ  ＭＴＣ機器は、前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定し、前記ターゲットＰＵＣＣＨリソースによって前記グループＨＡＲＱ結果を運搬し、前記ターゲットＰＵＣＣＨを基地局に送信することができる。上記プロセスにより、ＴＤＤ  ＭＴＣシステムに現在のＰＤＣＣＨでスケジュールされたすべてのＰＤＳＣＨに対応するＨＡＲＱ結果を異なるサブフレームによってフィードバックでき、１つのＰＤＣＣＨによって対応する少なくとも１つのターゲットＰＵＣＣＨを選択して、スケジュールされたＰＤＳＣＨのＨＡＲＱ結果のフィードバックを行う目的が実現される。
【００２６】
本開示の実施例において、現在のサブフレームのＨＡＲＱ結果をフィードバックする必要があるＰＤＳＣＨの数が１である場合、すなわち少なくとも１つのターゲットＰＤＳＣＨの数が１である場合、ＴＤＤ  ＭＴＣ機器は、まず候補インデックス値を決定し、候補インデックス値で指示されたＰＵＣＣＨを候補ＰＵＣＣＨとし、後続に少なくとも１つの候補物理アップリンク制御チャンネルＰＵＣＣＨにおいて１つのターゲットＰＵＣＣＨを決定でき、１つのＰＤＣＣＨによって対応する少なくとも１つのターゲットＰＵＣＣＨを選択して、スケジュールされたＰＤＳＣＨのＨＡＲＱ結果のフィードバックを行う目的が実現される。
【００２７】
本開示の実施例において、候補インデックス値は、第１の予め設定された関数の第１の関数値、ターゲット開始位置に対応する数値、第２の予め設定された関数の第２の関数値及び第１のターゲットオフセット量に基づいて決定でき、実現が容易で、可用性が高い。
【００２８】
本開示の実施例において、現在のサブフレームのＨＡＲＱ結果をフィードバックする必要があるＰＤＳＣＨの数が複数である場合、すなわち少なくとも１つのターゲットＰＤＳＣＨの数が複数である場合、ＴＤＤ  ＭＴＣ機器は、まず第１の候補インデックス値を決定し、前記第１の候補インデックス値で指示されたＰＵＣＣＨを前記最初の候補ＰＵＣＣＨとすることもできる。さらに、他の候補ＰＵＣＣＨにそれぞれ対応する第２のターゲットオフセット量を決定し、前記最初の候補ＰＵＣＣＨのリソースが存在する位置に対応する数値及び前記第２のターゲットオフセット量に基づいて、第２の候補インデックス値を決定し、ＴＤＤ  ＭＴＣ機器は、前記第２の候補インデックス値で指示されたＰＵＣＣＨを前記他の候補ＰＵＣＣＨとする。上記プロセスにより、ＴＤＤ  ＭＴＣ機器に複数の候補ＰＵＣＣＨを迅速に決定させ、後続に少なくとも１つの候補物理アップリンク制御チャンネルＰＵＣＣＨにおいて１つのターゲットＰＵＣＣＨを決定でき、１つのＰＤＣＣＨによって対応する少なくとも１つのターゲットＰＵＣＣＨを選択して、スケジュールされたＰＤＳＣＨのＨＡＲＱ結果のフィードバックを行う目的が実現される。
【００２９】
本開示の実施例において、第２のターゲットオフセット量は基地局により予め設定されたシグナリングを介して各他の候補ＰＵＣＣＨに配置でき、またはＴＤＤ  ＭＴＣ機器により予め設定されたリソースオフセット量に基づいて第２のターゲットオフセット量を決定でき、可用性が高い。
【００３０】
本開示の実施例において、現在のサブフレームのＨＡＲＱ結果をフィードバックする必要があるＰＤＳＣＨの数が複数である場合、すなわち少なくとも１つのターゲットＰＤＳＣＨの数が複数である場合、ＴＤＤ  ＭＴＣ機器は、第１のターゲットシグナリングを介して基地局によって送信された、少なくとも１つのＰＵＣＣＨを含むＰＵＣＣＨセットを受信することもでき、ＴＤＤ  ＭＴＣ機器は、前記ＰＵＣＣＨセットにおけるすべてのＰＵＣＣＨを候補ＰＵＣＣＨとすることができる。１つのＰＤＣＣＨによって対応する少なくとも１つのターゲットＰＵＣＣＨを選択して、スケジュールされたＰＤＳＣＨのＨＡＲＱ結果のフィードバックを行う目的も実現できる。
【００３１】
本開示の実施例において、複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を直接決定することができる。これによってＴＤＤ  ＭＴＣシステムにおいて現在のＰＤＣＣＨでスケジュールされたすべてのＰＤＳＣＨに対応するＨＡＲＱ結果を異なるサブフレームによってフィードバックし、１つのＰＤＣＣＨによって対応する少なくとも１つのターゲットＰＵＣＣＨを選択して、スケジュールされたすべてのＰＤＳＣＨのＨＡＲＱ結果のフィードバックを行う目的が実現される。
【００３２】
本開示の実施例において、現在のＰＤＣＣＨによりスケジュールされた前記少なくとも１つのターゲットＰＤＳＣＨに基づいて、現在のサブフレームによってＨＡＲＱ結果のフィードバックを行う必要がある少なくとも１つのターゲットＨＡＲＱ結果が正しいか間違っているか、または前記少なくとも１つのターゲットＨＡＲＱ結果が、すべて前記現在のＰＤＣＣＨを受信していないものであってもよいことを決定することができる。これによって関連技術においてＨＡＲＱ結果のフィードバックを行う際に、複数のＰＤＣＣＨによって複数のＰＤＳＣＨをスケジュールするため、フィードバックされたＨＡＲＱ結果が正確、誤りまたは前記現在のＰＤＣＣＨが受信されていない場合を含むようにする。
【００３３】
なお、上記一般的な説明及び以下の詳細な説明は、単に例示及び解釈するものであり、本開示を限定するものではない。
【図面の簡単な説明】
【００３４】
ここの図面は、本明細書に組み込まれて本明細書の一部を構成し、本開示に適した実施例を示しており、明細書と共に、本開示の原理を説明するために用いられる。
【図１】例示的な一実施例によって示されるハイブリッド自動再送要求ＨＡＲＱフィードバック方法のフローチャートである。
【図２】例示的な一実施例によって示されるもう１つのハイブリッド自動再送要求ＨＡＲＱフィードバック方法のフローチャートである。
【図３】例示的な一実施例によって示されるもう１つのハイブリッド自動再送要求ＨＡＲＱフィードバック方法のフローチャートである。
【図４】例示的な一実施例によって示されるもう１つのハイブリッド自動再送要求ＨＡＲＱフィードバック方法のフローチャートである。
【図５】例示的な一実施例によって示されるハイブリッド自動再送要求ＨＡＲＱフィードバック装置のブロック図である。
【図６】例示的な一実施例によって示されるもう１つのハイブリッド自動再送要求ＨＡＲＱフィードバック装置のブロック図である。
【図７】例示的な一実施例によって示されるもう１つのハイブリッド自動再送要求ＨＡＲＱフィードバック装置のブロック図である。
【図８】例示的な一実施例によって示されるもう１つのハイブリッド自動再送要求ＨＡＲＱフィードバック装置のブロック図である。
【図９】例示的な一実施例によって示されるもう１つのハイブリッド自動再送要求ＨＡＲＱフィードバック装置のブロック図である。
【図１０】例示的な一実施例によって示されるもう１つのハイブリッド自動再送要求ＨＡＲＱフィードバック装置のブロック図である。
【図１１】例示的な一実施例によって示されるもう１つのハイブリッド自動再送要求ＨＡＲＱフィードバック装置のブロック図である。
【図１２】例示的な一実施例によって示されるもう１つのハイブリッド自動再送要求ＨＡＲＱフィードバック装置のブロック図である。
【図１３】例示的な一実施例によって示されるハイブリッド自動再送要求ＨＡＲＱフィードバック装置のための一概略構成図である。
【発明を実施するための形態】
【００３５】
ここで、図面に示されている例示的な実施例を詳しく説明する。以下の説明は、図面に係る場合に、他の説明がない限り、異なる図面における同じ数字は、同一又は類似の要素を表す。以下の例示的な実施例に記載されている実施形態は、本開示と一致する全ての実施形態を表すものではない。それらは、添付の特許請求の範囲に詳しく記載された本開示の一部と一致する装置及び方法の例だけである。
【００３６】
本開示で使用される用語は、特定の実施例を説明することのみを目的とし、本開示を制限することを意図していない。本開示及び添付の特許請求の範囲で使用される単数形の「１種」、「前記」、及び「当該」も、内容が他の意味を明確に示さない限り、複数の形式を含むことが意図される。本明細書で使用される「及び／または」という用語は、１つまたは複数の関連付けられたリスト項目の任意またはすべての可能な組み合わせを含むことを指すことも理解されたい。
【００３７】
本開示では、様々な情報を、第１、第２、第３などの用語を用いて説明する可能性があるが、これらの情報がこれらの用語に限定されるべきではないことを理解されたい。これらの用語は、同じタイプの情報を互いに区別するためだけに使用される。例えば、本開示の範囲を逸脱することなく、第１の情報を第２の情報と呼ぶこともでき、同様に、第２の情報を第１の情報と呼ぶこともできる。コンテキストに応じて、ここで使用される「もし・・・であれば」という言葉は、「・・・際に」または「・・・の場合」または「・・・という決定に応じて」と解釈できる。
【００３８】
本開示の実施例により提供されるＨＡＲＱフィードバック方法を紹介する前に、まず関連技術におけるＴＤＤ  ＭＴＣのＨＡＲＱフィードバック方式を紹介する。
【００３９】
例えば、表１に示すように、ＨＡＲＱフィードバックを必要とするスケジュールが３回ある場合、表１に基づいてＰＵＣＣＨ伝送内容の設定とＰＵＣＣＨ伝送リソースの選択を行うことができる。
【表１】
2022501976.tif 000003
【００４０】
ここで、表１中の第１の列は３回のスケジュールに対して復調するＨＡＲＱ結果を示し、その中のＡＣＫ（ＡＣＫｎｏｗｌｅｄｇｅｍｅｎｔ、正しい）とＮＡＣＫ（Ｎｅｇａｔｉｖｅ  ＡＣＫｎｏｗｌｅｄｇｅｍｅｎｔ、誤り）は、それぞれスケジュールされたＰＤＳＣＨに対する復調が正誤を示す。ＤＴＸは、受信側機器がスケジュールＰＤＳＣＨに対応するＰＤＣＣＨを受信していないことを示す。
【００４１】
表１における第２列はＰＵＣＣＨ  ｆｏｒｍａｔ  １ｂで選択されたＰＵＣＣＨリソースを示す。その中の
【数１】
2022501976.tif 000004
はそれぞれ、これらの３回のスケジュールでそれぞれ導き出された対応するＰＵＣＣＨリソースを示す。
【００４２】
表１における第３列はＰＵＣＣＨ  ｆｏｒｍａｔ  １ｂにより運搬された伝送内容を示す。
【００４３】
例えば３回のスケジュールの復調結果がそれぞれＡＣＫ、ＡＣＫ、ＡＣＫである場合、表１に基づいて、ＴＤＤ  ＭＴＣ機器は３回目のスケジュールにより導き出されたＰＵＣＣＨリソースにおいてＰＵＣＣＨ  ｆｏｒｍａｔ  １ｂを伝送し、ここでＰＵＣＣＨ  ｆｏｒｍａｔ  １ｂの伝送内容が１１である。対応的に、基地局側では、３回目のスケジュールにより導き出されたＰＵＣＣＨリソースにおいて、伝送内容が１１であるとモニタリングする場合、基地局は、対応する３回のスケジュール結果がＡＣＫ、ＡＣＫ、ＡＣＫであると考える。
【００４４】
表１から分かるように、関連技術では、３つのＰＤＳＣＨをそれぞれスケジュールするために３つのＰＤＣＣＨが必要であり、ＨＡＲＱ結果のフィードバックを行う場合、１つのＰＵＣＣＨリソースだけで３つのＰＤＳＣＨに対応するＨＡＲＱ結果をフィードバックできるが、３つのＨＡＲＱ結果においてあるＨＡＲＱ結果がＤＴＸである場合があり、例えば３つのＨＡＲＱ結果はそれぞれＡＣＫ、ＮＡＣＫ／ＤＴＸ、ＡＣＫである。つまり、表１に含まれる、ＨＡＲＱ結果をフィードバックする場合が多い。
【００４５】
また、関連技術では、３つのＰＤＣＣＨによって３つのＰＤＳＣＨをそれぞれスケジュールするが、最終的に１つのＰＵＣＣＨによってＨＡＲＱ結果のフィードバックを行う。
【００４６】
したがって、上記ＨＡＲＱフィードバック方式はさらに最適化する必要がある。
【００４７】
本開示の実施例は、ハイブリッド自動再送要求ＨＡＲＱフィードバック方法を提供し、スマートシティで使用されるスマートメーターの読み取り、スマート交通における共有自転車、スマート農業における温度と湿度の収集装置など、時分割複信マシンタイプ通信ＴＤＤ  ＭＴＣ機器に適用できる。図１に示すように、図１は例示的な一実施例によって示されるハイブリッド自動再送要求ＨＡＲＱフィードバック方法のフローチャートであり、ステップ１０１〜ステップ１０３を含むことができ、
ステップ１０１において、少なくとも１つのターゲットＨＡＲＱ結果を決定し、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨであり、
ステップ１０２において、前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定し、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられ、
ステップ１０３において、前記ターゲットＰＵＣＣＨリソースによって前記グループＨＡＲＱ結果を運搬し、前記ターゲットＰＵＣＣＨを基地局に送信する。
【００４８】
上記実施例では、ＴＤＤ  ＭＴＣシステムにおいて現在のＰＤＣＣＨでスケジュールされたすべてのＰＤＳＣＨに対応するＨＡＲＱ結果を異なるサブフレームによってフィードバックでき、１つのＰＤＣＣＨによって対応する少なくとも１つのターゲットＰＵＣＣＨを選択して、スケジュールされたＰＤＳＣＨのＨＡＲＱ結果のフィードバックを行う目的が実現される。
【００４９】
上記ステップ１０１に関し、ＴＤＤ  ＭＴＣシステムにおいて、現在のＰＤＣＣＨは、複数の連続するＰＤＳＣＨを同時にスケジュールでき、現在のＰＤＣＣＨでスケジュールされたすべてのＰＤＳＣＨに対応するＨＡＲＱ結果が少なくとも１つのサブフレームによってフィードバックできる。現在のＰＤＣＣＨによりスケジュールされたすべてのＰＤＳＣＨに対応するＨＡＲＱ結果がどのサブフレームによってフィードバックされるかは、ＴＤＤシステムのフレームフォーマット及びＨＡＲＱフィードバックを伝送するアップリンクサブフレームと相関しており、対応関係は表２に示す通りである。
【表２】
2022501976.tif 000005
【００５０】
表２は各アップリンク／ダウンリンク配置の各アップリンクサブフレームがフィードバックを担当するダウンリンクサブフレーム情報のセットを示す。具体的に、表２における各アップリンクサブフレームｎに対応するダウンリンクサブフレーム情報をｋと定義すると、アップリンクサブフレームｎがフィードバックを担当するダウンリンクサブフレームセットはｎ−ｋである。
【００５１】
ＴＤＤ  ＭＴＣシステムのフレームフォーマットが１であり、すなわちアップリンク／ダウンリンク配置が１であり、及び現在のＰＤＣＣＨが３つのＰＤＳＣＨをスケジュールしていることを例として説明する。現在のＰＤＣＣＨが３つのＰＤＳＣＨをスケジュールしている場合、表２に基づいて行リンク／ダウンリンク配置が１であることを決定できると、サブフレーム２は、第２マイナス６または第２マイナス７のサブフレームで運搬されたＰＤＳＣＨに対応するＨＡＲＱのフィードバックを担当する。すなわちサブフレーム２は、前の無線フレームのサブフレーム５及びサブフレーム６で運搬されたＰＤＳＣＨに対応するＨＡＲＱのフィードバックを担当する。サブフレーム３は、３番目から４番目のサブフレームで運搬されたＰＤＳＣＨに対応するＨＡＲＱのフィードバックを担当し、すなわちサブフレーム３は、前の無線フレームのサブフレーム９で運搬されたＰＤＳＣＨに対応するＨＡＲＱのフィードバックを担当する。
【００５２】
つまり、１つのＰＤＣＣＨでスケジュールされた複数のＰＤＳＣＨがそれぞれサブフレーム５、サブフレーム６及びサブフレーム９で伝送される場合、サブフレーム５、サブフレーム６で運搬されたＰＤＳＣＨに対応するＨＡＲＱは、次の無線フレームのサブフレーム２でフィードバックされる。サブフレーム９で運搬されたＰＤＳＣＨに対応するＨＡＲＱは、次の無線フレームのサブフレーム３でフィードバックされる。
【００５３】
本ステップにおいて、ＴＤＤ  ＭＴＣ機器は、関連技術に従って少なくとも１つのターゲットＨＡＲＱ結果を決定でき、ここで、前記少なくとも１つのターゲットＨＡＲＱ結果は、少なくとも１つのターゲットＰＤＳＣＨに対応するＨＡＲＱ結果であり、前記少なくとも１つのＰＤＳＣＨは、現在のＰＤＣＣＨでスケジュールされたすべてのＰＤＳＣＨにおける現在のサブフレームによってＨＡＲＱ結果のフィードバックが必要な少なくとも１つのＰＤＳＣＨである。
【００５４】
なお、本開示の実施例では、現在のＰＤＣＣＨが前記少なくとも１つのターゲットＰＤＳＣＨをスケジュールするため、前記少なくとも１つのターゲットＰＤＳＣＨにそれぞれ対応する前記ターゲットＨＡＲＱ結果が正しいか間違っているか、または前記少なくとも１つのターゲットＰＤＳＣＨにそれぞれ対応する前記ターゲットＨＡＲＱ結果がすべて、前記現在のＰＤＣＣＨを受信していないことを決定できる。関連技術において複数のＰＤＣＣＨにより複数のＰＤＳＣＨをスケジュールして、あるＨＡＲＱ結果が前記現在のＰＤＣＣＨを受信していないものである状況は現れないので、上記表１に対して最適化の役割を果たすことができる。表１の最適化については、後で詳しく説明する。
【００５５】
本ステップにおいて、ＴＤＤ  ＭＴＣ機器は、少なくとも１つのターゲットＨＡＲＱ結果がＡＣＫまたはＮＡＣＫであってもよいし、すべてＤＴＸであってもよいと決定できる。
【００５６】
上記ステップ１０２に対して、ＴＤＤ  ＭＴＣ機器は、まず複数のターゲットＨＡＲＱ結果、ターゲットＰＵＣＣＨリソース及びグループＨＡＲＱフィードバックとの間の予め設定されたマッピング関係におけるすべての可能なターゲットＰＵＣＣＨリソースに基づいて、対応する数の候補ＰＵＣＣＨを決定することができる。
【００５７】
例えば、予め設定されたマッピング関係におけるすべての可能なターゲットＰＵＣＣＨリソース数が１である場合、候補ＰＵＣＣＨの数が１であり、予め設定されたマッピング関係におけるすべての可能なターゲットＰＵＣＣＨリソース数が複数である場合、候補ＰＵＣＣＨの数が対応して複数である。
【００５８】
ＴＤＤ  ＭＴＣ機器が候補ＰＵＣＣＨを決定した後、複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を決定することができる。
【００５９】
例えば、複数のターゲットＨＡＲＱ結果、ターゲットＰＵＣＣＨリソース及びグループＨＡＲＱフィードバックとの間の予め設定されたマッピング関係は表３に示す通りである。
【表３】
2022501976.tif 000006
【００６０】
ＴＤＤ  ＭＴＣ機器は、ステップ１０１に基づいて複数のターゲットＨＡＲＱ結果を決定し、及び本ステップにおいて候補ＰＵＣＣＨを決定した後、表３に基づいてターゲットＰＵＣＣＨリソース及びグループＨＡＲＱ結果を同時に決定することができる。
【００６１】
先に決定された複数のターゲットＨＡＲＱ結果が１、０であり、候補ＰＵＣＣＨに対応する候補ＰＵＣＣＨリソースのインデックス値がｎ＿ＰＵＣＣＨ  １及びｎ＿ＰＵＣＣＨ  ２であると仮定すると、表３に基づいてＸの値が１であると決定でき、それによってグループＨＡＲＱ結果が１であり、対応的に、ターゲットＰＵＣＣＨリソースのインデックス値はｎ＿ＰＵＣＣＨ  １である。
【００６２】
さらに、ＴＤＤ  ＭＴＣ機器は、ターゲットＰＵＣＣＨリソースのインデックス値に基づいて、対応するターゲットＰＵＣＣＨを決定し、インデックス値がｎ＿ＰＵＣＣＨ  １であるＰＵＣＣＨをターゲットＰＵＣＣＨとすることができる。
【００６３】
上記ステップ１０３に対して、ＴＤＤ  ＭＴＣ機器は、関連技術に従って、現在のサブフレームの前記ターゲットＰＵＣＣＨリソースによって前記グループＨＡＲＱ結果を運搬し、前記ターゲットＰＵＣＣＨを基地局に送信することができる。
【００６４】
一実施例において、ＴＤＤ  ＭＴＣ機器は、以下の方式のいずれかを採用して候補ＰＵＣＣＨを決定することができる。
【００６５】
第１の方式においては、少なくとも１つのターゲットＰＤＳＣＨの数が１である場合、候補インデックス値で指示されたＰＵＣＣＨを前記候補ＰＵＣＣＨとする。
【００６６】
この方式において、現在のサブフレームのＨＡＲＱ結果をフィードバックする必要があるＰＤＳＣＨ数が１であり、図２を参照でき、図２は図１に示される実施例に基づいて示されるもう１つのハイブリッド自動再送要求ＨＡＲＱフィードバック方法のフローチャートであり、候補ＰＵＣＣＨを決定するプロセスは以下のステップを含むことができる。
【００６７】
ステップ１０２−１１において、前記候補ＰＵＣＣＨに対応するリソースインデックス値である候補インデックス値を決定する。
【００６８】
本ステップにおいて、第１の予め設定された関数の第１の関数値、ターゲット開始位置に対応する数値、第２の予め設定された関数の第２の関数値及び第１のターゲットオフセット量に基づいて、前記候補インデックス値を決定することができる。選択可能に、第１の関数値と、ターゲット開始位置に対応する数値と、第２の関数値と、第１のターゲットオフセット量との和を計算して、前記候補インデックス値を取得することができる。
【００６９】
もちろん、他の計算方式を採用して、第１の関数値、ターゲット開始位置に対応する数値、第２の関数値及び第１のターゲットオフセット量に基づいて、前記候補インデックス値を計算することができ、本開示はこれに限定されない。
【００７０】
ここで、前記第１の予め設定された関数はターゲットＣＣＥインデックス値に対応する予め設定された関数であり、前記ターゲットＣＣＥインデックス値は、前記現在のＰＤＣＣＨに対応する最小のＣＣＥインデックス値である。前記ターゲット開始位置は、ＨＡＲＱ結果を運搬するためのＰＵＣＣＨチャンネルに対応するリソースの開始位置であり、前記第２の予め設定された関数は、第１のターゲット値及び第２のターゲット値に対応する予め設定された関数であり、前記第１のターゲット値は、ＴＤＤ  ＭＴＣシステムのサブフレーム配置と現在のサブフレーム位置に対応する数値であり、前記第２のターゲット値は、現在のＰＤＣＣＨを運搬する物理リソースブロックに含まれるＣＣＥの数であり、前記第１のターゲットオフセット量は、前記現在のＰＤＣＣＨで運搬された、ＨＡＲＱ結果をフィードバックするためのＰＵＣＣＨリソースのオフセット量である。
【００７１】
具体的に、以下の式１または式２に基づいて前記候補インデックス値を決定することができる。
【００７２】
分散ＰＤＣＣＨ伝送方式を採用する場合、式１に基づいて候補インデックス値を計算することができる。
【数２】
2022501976.tif 000007
【００７３】
集中型ＰＤＣＣＨ伝送方式を採用する場合、式２に基づいて候補インデックス値を計算することができる。
【数３】
2022501976.tif 000008
【００７４】
ここで、ターゲットＣＣＥインデックス値ｎＣＣＥは、現在のスケジュールに対応するＰＤＣＣＨが占める最小のＣＣＥインデックスであり、ターゲット開始位置に対応する数値ＮＰＵＣＣＨは、高層シグナリング、例えばＲＲＣシグナリングで構成されるＣＣＨリソースの開始位置であり、ΔＡＲＯは第１のターゲットオフセット量であり、ＮＥＣＣＥ、ｎ−ｋｉｌはｎ−ｋｉｌサブフレームでＰＤＣＣＨ物理リソースブロックセットに含まれるＥＣＣＥ（Ｅｎｈａｎｃｅｄ  Ｃｏｎｔｒｏｌ  Ｃｈａｎｎｅｌ  Ｅｌｅｍｅｎｔ、強化された制御チャンネルユニット）の合計数を表す。ここで、ｎはＨＡＲＱをフィードバックするアップリンクサブフレームの番号を表す。各アップリンクサブフレームに対応するｋｉｌの値は表２に示す通りである。
【００７５】
ここで、ｋｉｌ中のｉｌは、ｋｉｌという値の対応するセットに位置する番号を表す。例えば、アップリンクまたはダウンリンクの配置１に対して、アップリンクサブフレーム２に対応するｋｉｌ値はそれぞれ７、６である。ｋｉｌ＝７に対して、ｉｌ値が０であり、ｋｉｌ＝６に対して、ｉｌ値が１である。
【００７６】
また、上記式１及び式２中のｍ値は、あるＰＤＳＣＨが存在するダウンリンクサブフレームに対応するｋｉｌ値の番号である。最後に、ΔＡＲＯはＤＣＩにおける指示される１つのＰＵＣＣＨリソースオフセットである。特に、集中型ＰＤＣＣＨ伝送という場合に、ＰＵＣＣＨリソース導出式中の
【数４】
2022501976.tif 000009
は１つのＲＢに含まれるＥＣＣＥの数であり、ｎ’は伝送ＰＤＣＣＨのアンテナポートに関するパラメータである。具体的には式３によって決定する。
【数５】
2022501976.tif 000010
【００７７】
ここで、ｎＲＮＴＩは基地局によってユーザに配置された識別子であり、
【数６】
2022501976.tif 000011
は当該ＰＤＣＣＨを伝送するために占有されたＥＣＣＥの合計数を表す。
【００７８】
本ステップにおいて、ＴＤＤ  ＭＴＣ機器は、式１または式２に基づいて前記候補インデックス値を決定することができる。
【００７９】
ステップ１０２−１２において、前記候補インデックス値で指示されたＰＵＣＣＨを前記候補ＰＵＣＣＨとする。
【００８０】
本ステップにおいて、ＴＤＤ  ＭＴＣ機器は前記候補インデックス値で指示されたＰＵＣＣＨを前記候補ＰＵＣＣＨとする。
【００８１】
上記実施例では、複数のターゲットＨＡＲＱ結果を予め設定し、ターゲットＰＵＣＣＨリソースとグループＨＡＲＱフィードバックとの間の予め設定されたマッピング関係では、可能なターゲットＰＵＣＣＨリソース数が１つである場合、１つの候補ＰＵＣＣＨを導出する必要がある。ＴＤＤ  ＭＴＣ機器は、まず候補インデックス値を決定し、候補インデックス値で指示されたＰＵＣＣＨを候補ＰＵＣＣＨとし、後続に少なくとも１つの候補物理アップリンク制御チャンネルＰＵＣＣＨにおいて１つのターゲットＰＵＣＣＨを決定でき、１つのＰＤＣＣＨによって対応する少なくとも１つのターゲットＰＵＣＣＨを選択して、スケジュールされたＰＤＳＣＨのＨＡＲＱ結果のフィードバックを行う目的が実現される。
【００８２】
第２の方式においては、複数のターゲットＨＡＲＱ結果を予め設定し、ターゲットＰＵＣＣＨリソースとグループＨＡＲＱフィードバックとの間の予め設定されたマッピング関係は表３に示す通りである。マッピング関係における可能なターゲットＰＵＣＣＨリソース数が複数である場合、このとき複数の候補ＰＵＣＣＨを導出する必要がある。第１のインデックス値と第２のインデックス値をそれぞれ決定し、前記第１のインデックス値及び前記第２のインデックス値で指示されたＰＤＣＣＨを候補ＰＵＣＣＨとする。
【００８３】
この方式において、図３を参照して、図３は図１に示される実施例に基づいて示されるもう１つのハイブリッド自動再送要求ＨＡＲＱフィードバック方法のフローチャートであり、候補ＰＵＣＣＨを決定するステップは以下のステップを含むことができる。
【００８４】
ステップ１０２−２１において、第１の候補インデックス値を決定し、前記第１の候補インデックス値は複数の候補ＰＵＣＣＨにおける最初の候補ＰＵＣＣＨに対応するリソースインデックス値である。
【００８５】
本ステップにおいて、第１の候補インデックス値を決定する方式は上記ステップ１０２−１１における候補インデックス値を決定する方式と同じであることができるので、ここでは説明を省略する。
【００８６】
ステップ１０２−２２において、前記第１の候補インデックス値で指示されたＰＵＣＣＨを前記最初の候補ＰＵＣＣＨとする。
【００８７】
本ステップにおいて、ＴＤＤ  ＭＴＣ機器も同様に、前記第１の候補インデックス値で指示されたＰＵＣＣＨを前記最初の候補ＰＵＣＣＨとすることができる。
【００８８】
ステップ１０２−２３において、他の候補ＰＵＣＣＨにそれぞれ対応する第２のターゲットオフセット量を決定し、ここで、前記他の候補ＰＵＣＣＨは最初の候補ＰＵＣＣＨ以外の候補ＰＵＣＣＨであり、前記第２のターゲットオフセット量は最初の候補ＰＵＣＣＨに対する現在の他の候補ＰＵＣＣＨのリソースオフセット量である。
【００８９】
本ステップにおいて、第２のターゲットオフセット量は、基地局によって予め設定されたシグナリング、例えば高層ＲＲＣシグナリングまたは物理層ＤＣＩシグナリングを介して前記ＴＤＤ  ＭＴＣ機器に送信でき、選択可能に、基地局で配置された第２のターゲットオフセット量は同じであってもよく、例えば各第２のターゲットオフセット量はいずれもｏｆｆｓｅｔであり、または第２のターゲットオフセット量が異なってもよく、基地局によって前記予め設定されたシグナリングを介して１つのオフセット量のセット｛Ｘ１、Ｘ２、……Ｘｉ｝を配置し、異なる第２のターゲットオフセット量に順次対応する。
【００９０】
またはＴＤＤ  ＭＴＣ機器は、予め設定されたリソースオフセット量を直接前記第２のターゲットオフセット量とすることができる。
【００９１】
ステップ１０２−２４において、前記最初の候補ＰＵＣＣＨのリソースが存在する位置に対応する数値及び前記第２のターゲットオフセット量に基づいて、第２の候補インデックス値を決定する。
【００９２】
本ステップにおいて、ＴＤＤ  ＭＴＣ機器は、最初の候補ＰＵＣＣＨのリソースが存在する位置に対応する数値と前記第２のターゲットオフセット量との和を直接第２の候補インデックス値とすることができる。
【００９３】
選択可能に、第２のターゲットオフセット量が、基地局によって予め設定されたシグナリング、例えばＲＲＣシグナリングまたはＤＣＩシグナリングを介してＴＤＤ  ＭＴＣ機器に配置されるものである場合、または予め設定されたリソースオフセット量を直接前記第２のターゲットオフセット量として採用する場合、式４を採用して第２の候補インデックス値ｎＰＵＣＣＨ，ｉを計算することができる。
【数７】
2022501976.tif 000012
【００９４】
ここで、ｉ＝１、２、３、４……、ｎＰＵＣＣＨ，０は最初の候補ＰＵＣＣＨのリソースが存在する位置に対応する数値であり、ｏｆｆｓｅｔは第２のターゲットオフセット量である。
【００９５】
基地局が予め設定されたシグナリング、例えばＲＲＣシグナリングまたはＤＣＩシグナリングを介して１つのオフセット量のセット｛Ｘ１、Ｘ２、……Ｘｉ｝を配置し、異なる第２のターゲットオフセット量に順次対応する場合、式４を採用して第２の候補インデックス値ｎＰＵＣＣＨ，ｉを計算することができる。
【数８】
2022501976.tif 000013
【００９６】
ここで、ｉ＝１、２、３、４……、ｎＰＵＣＣＨ，０は最初の候補ＰＵＣＣＨのリソースが存在する位置に対応する数値であり、Ｘｉは第２のターゲットオフセット量である。
【００９７】
ステップ１０２−２５において、前記第２の候補インデックス値で指示されたＰＵＣＣＨを前記他の候補ＰＵＣＣＨとする。
【００９８】
本ステップにおいて、ＴＤＤ  ＭＴＣ機器は、式４または式５を採用して第２の候補インデックス値を計算した後、各第２の候補インデックス値で指示されたＰＵＣＣＨを直接他の候補ＰＵＣＣＨとすることができる。
【００９９】
上記実施例では、複数のターゲットＨＡＲＱ結果を予め設定し、ターゲットＰＵＣＣＨリソースとグループＨＡＲＱフィードバックとの間の予め設定されたマッピング関係は表３に示す通りである。マッピング関係における可能なターゲットＰＵＣＣＨリソース数が複数である場合、このとき複数の候補ＰＵＣＣＨを導出する必要がある。ＴＤＤ  ＭＴＣ機器は、まず第１の候補インデックス値を決定し、前記第１の候補インデックス値で指示されたＰＵＣＣＨを前記最初の候補ＰＵＣＣＨとすることもできる。さらに、他の候補ＰＵＣＣＨにそれぞれ対応する第２のターゲットオフセット量を決定し、前記最初の候補ＰＵＣＣＨのリソースが存在する位置に対応する数値及び前記第２のターゲットオフセット量に基づいて、第２の候補インデックス値を決定し、ＴＤＤ  ＭＴＣ機器は、前記第２の候補インデックス値で指示されたＰＵＣＣＨを前記他の候補ＰＵＣＣＨとする。上記プロセスにより、ＴＤＤ  ＭＴＣ機器に複数の候補ＰＵＣＣＨを迅速に決定させ、後続に少なくとも１つの候補物理アップリンク制御チャンネルＰＵＣＣＨにおいて１つのターゲットＰＵＣＣＨを決定でき、１つのＰＤＣＣＨによって対応する少なくとも１つのターゲットＰＵＣＣＨを選択して、スケジュールされたＰＤＳＣＨのＨＡＲＱ結果のフィードバックを行う目的が実現される。
【０１００】
第３の方式においては、複数のターゲットＨＡＲＱ結果を予め設定し、ターゲットＰＵＣＣＨリソースとグループＨＡＲＱフィードバックとの間の予め設定されたマッピング関係は表３に示す通りである。マッピング関係における可能なターゲットＰＵＣＣＨリソース数が複数である場合、このとき複数の候補ＰＵＣＣＨを導出する必要がある。このとき基地局によって複数の候補ＰＵＣＣＨを配置する。
【０１０１】
この方式において、図４を参照して、図４は図１に示される実施例に基づいて示されるもう１つのハイブリッド自動再送要求ＨＡＲＱフィードバック方法のフローチャートであり、候補ＰＵＣＣＨを決定するステップは以下のステップを含むことができる。
【０１０２】
ステップ１０２−３１において、前記基地局が第１のターゲットシグナリングを介して送信した、少なくとも１つのＰＵＣＣＨを含むＰＵＣＣＨセットを受信する。
【０１０３】
本ステップにおいて、基地局は、第１のターゲットシグナリング、例えばＲＲＣシグナリングを介してＴＤＤ  ＭＴＣ機器に少なくとも１つのＰＵＣＣＨを含むＰＵＣＣＨセット、例えば｛ｎＰＵＣＣＨ，０、ｎＰＵＣＣＨ，１、…ｎＰＵＣＣＨ，ｉ｝を配置することができる。
【０１０４】
ステップ１０２−３２において、前記ＰＵＣＣＨセットにおけるすべてのＰＵＣＣＨを候補ＰＵＣＣＨとする。
【０１０５】
本ステップにおいて、ＴＤＤ  ＭＴＣ機器は、上記ＰＵＣＣＨセットにおけるすべてのＰＵＣＣＨを候補ＰＵＣＣＨとすることができる。
【０１０６】
上記実施例では、複数のターゲットＨＡＲＱ結果を予め設定し、ターゲットＰＵＣＣＨリソースとグループＨＡＲＱフィードバックとの間の予め設定されたマッピング関係は表３に示す通りである。マッピング関係における可能なターゲットＰＵＣＣＨリソース数が複数である場合、このとき複数の候補ＰＵＣＣＨを導出する必要がある。ＴＤＤ  ＭＴＣ機器は、第１のターゲットシグナリングを介して基地局によって送信された、少なくとも１つのＰＵＣＣＨを含むＰＵＣＣＨセットを受信することもでき、ＴＤＤ  ＭＴＣ機器は、前記ＰＵＣＣＨセットにおけるすべてのＰＵＣＣＨを候補ＰＵＣＣＨとする。１つのＰＤＣＣＨによって対応する少なくとも１つのターゲットＰＵＣＣＨを選択して、スケジュールされたＰＤＳＣＨのＨＡＲＱ結果のフィードバックを行う目的も実現できる。
【０１０７】
一実施例において、ＴＤＤ  ＭＴＣ機器は各ターゲットＰＤＳＣＨに対応するターゲットＨＡＲＱ結果を決定し、ターゲットＨＡＲＱ結果はＡＣＫまたはＮＡＣＫであってもよく、またはすべてのターゲットＨＡＲＱ結果はすべて前記現在のＰＤＣＣＨを受信していない。
【０１０８】
さらに、ＴＤＤ  ＭＴＣ機器は、複数のターゲットＨＡＲＱ結果と、ターゲットＰＵＣＣＨリソースと、グループＨＡＲＱフィードバックとの間の予め設定されたマッピング関係におけるすべての可能なターゲットＰＵＣＣＨリソース数によって、候補ＰＵＣＣＨリソース数を決定する必要がある。候補ＰＵＣＣＨの数はすべての可能なターゲットＰＵＣＣＨリソースの数と同じである。
【０１０９】
すべての可能なターゲットＰＵＣＣＨリソースの数が１である場合、候補ＰＵＣＣＨの数も１であり、式１または式２を採用して候補インデックス値を計算し、前記候補インデックス値に対応するＰＵＣＣＨを前記候補ＰＵＣＣＨとすることができる。
【０１１０】
すべての可能なターゲットＰＵＣＣＨリソースの数が複数である場合、まず第１の候補インデックス値を決定でき、第１の候補インデックス値を決定する方式は候補インデックス値を決定する方式と同じであるので、ここでは説明を省略する。ＴＤＤ  ＭＴＣ機器は、前記第１の候補インデックス値に対応するＰＵＣＣＨを最初の候補ＰＵＣＣＨとする。
【０１１１】
そして、他の候補ＰＵＣＣＨにそれぞれ対応する第２のターゲットオフセット量を決定し、第２のターゲットオフセット量は、基地局によって予め設定されたシグナリング、例えば高層ＲＲＣシグナリングまたは物理層ＤＣＩシグナリングを介して前記ＴＤＤ  ＭＴＣ機器に送信でき、または予め設定されたリソースオフセット量を直接前記第２のターゲットオフセット量とする。ＴＤＤ  ＭＴＣ機器は前記最初の候補ＰＵＣＣＨのリソースが存在する位置に対応する数値と前記第２のターゲットオフセット量との和を第２の候補インデックス値とし、前記第２の候補インデックス値で指示されたＰＵＣＣＨを前記他の候補ＰＵＣＣＨとする。
【０１１２】
すべての可能なターゲットＰＵＣＣＨリソースの数が複数である場合、基地局によって直接第１のターゲットシグナリング、例えばＲＲＣシグナリングを介してＴＤＤ  ＭＴＣ機器に少なくとも１つのＰＵＣＣＨを含むＰＵＣＣＨセットを配置でき、ＴＤＤ  ＭＴＣ機器は当該ＰＵＣＣＨセットに含まれるすべてのＰＵＣＣＨを候補ＰＵＣＣＨとする。
【０１１３】
本開示の実施例において、ＴＤＤ  ＭＴＣ機器が上記方式を採用して候補ＰＵＣＣＨを決定した後、複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を決定する。決定する方式は上記ステップ１０２におけるターゲットＰＵＣＣＨ及びグループＨＡＲＱ結果を決定する方式と同じであるので、ここでは説明を省略する。
【０１１４】
ＴＤＤ  ＭＴＣ機器がターゲットＰＵＣＣＨ及びグループＨＡＲＱ結果を決定した後、直接現在のサブフレームの前記ターゲットＰＵＣＣＨリソースによって前記グループＨＡＲＱ結果を運搬し、前記ターゲットＰＵＣＣＨを基地局に送信することができる。
【０１１５】
上記実施例では、ＴＤＤ  ＭＴＣシステムの中で現在のＰＤＣＣＨでスケジュールされたすべてのＰＤＳＣＨに対応するＨＡＲＱ結果を異なるサブフレームによってフィードバックでき、１つのＰＤＣＣＨによって対応する少なくとも１つのターゲットＰＵＣＣＨを選択して、スケジュールされたＰＤＳＣＨのＨＡＲＱ結果のフィードバックを行う目的が実現される。
【０１１６】
一実施例において、現在のＰＤＣＣＨが前記少なくとも１つのターゲットＰＤＳＣＨをスケジュールするため、前記少なくとも１つのターゲットＰＤＳＣＨにそれぞれ対応する前記ターゲットＨＡＲＱ結果が正しいか間違っているか、または前記少なくとも１つのターゲットＰＤＳＣＨにそれぞれ対応する前記ターゲットＨＡＲＱ結果がすべて、前記現在のＰＤＣＣＨを受信していないことを決定できる。関連技術において複数のＰＤＣＣＨにより複数のＰＤＳＣＨをスケジュールして、あるＨＡＲＱ結果が、前記現在のＰＤＣＣＨを受信していないものであるという状況は現れないので、上記表１に対して最適化の役割を果たすことができる。
【０１１７】
以下に例を挙げて説明する。
【０１１８】
例１においては、現在のＰＤＣＣＨが２つのＰＤＳＣＨをスケジュールし、ターゲットＨＡＲＱフィードバックと、ターゲットＰＵＣＣＨリソースと、グループフィードバック結果とのマッピング関係の事前の設定は表４に示す通りである。このとき１つの候補ＰＵＣＣＨだけがあり、２つのＰＤＳＣＨに対応するＨＡＲＱ結果は、候補ＰＵＣＣＨで運搬された内容によって、つまりこのとき候補ＰＵＣＣＨをターゲットＰＵＣＣＨとし、２つのＰＤＳＣＨに対応するＨＡＲＱ結果をグループＨＡＲＱ結果としてフィードバックする必要がある。
【表４】
2022501976.tif 000014
【０１１９】
表４から分かるように、２つのＰＤＳＣＨがいずれも現在のＰＤＣＣＨでスケジュールされたものであるため、ＤＴＸ、ＡＣＫまたはＮＡＣＫ、ＤＴＸのような状況は表４に現れることなく、すなわちあるＰＤＳＣＨに対応するＨＡＲＱ結果がＤＴＸである場合はなく、ＡＣＫまたはＮＡＣＫ、またはすべてＤＴＸである可能性しかない。関連技術における上記表を最適化した。
【０１２０】
現在のＰＤＣＣＨが２つのＰＤＳＣＨをスケジュールし、ターゲットＨＡＲＱフィードバックと、ターゲットＰＵＣＣＨリソースと、グループフィードバック結果とのマッピング関係の事前の設定は表４に示す通りである。このとき２つの候補ＰＵＣＣＨがあり、１つのＰＤＳＣＨに対応するＨＡＲＱ結果は、ターゲットＰＵＣＣＨで運搬された内容によって、すなわちグループＨＡＲＱ結果によってフィードバックする必要があり、別のＰＤＳＣＨに対応するＨＡＲＱ結果はターゲットＰＵＣＣＨリソースによってフィードバックする必要がある。
【表５】
2022501976.tif 000015
【０１２１】
同様に表５から分かるように、２つのＰＤＳＣＨがいずれも現在のＰＤＣＣＨでスケジュールされたものであるため、ＤＴＸ、ＡＣＫ（またはＮＡＣＫ）、またはＮＡＣＫ（またはＡＣＫ）、ＤＴＸのような状況は表５に現れることなく、すなわちあるＰＤＳＣＨに対応するＨＡＲＱ結果がＤＴＸである場合はなく、ＡＣＫまたはＮＡＣＫ、またはすべてＤＴＸである可能性しかない。関連技術における上記表を最適化した。
【０１２２】
現在のＰＤＣＣＨが２つのＰＤＳＣＨをスケジュールし、ターゲットＨＡＲＱフィードバックと、ターゲットＰＵＣＣＨリソースと、グループフィードバック結果とのマッピング関係の事前の設定は表６に示す通りである。このとき２つの候補ＰＵＣＣＨがあり、２つのＰＤＳＣＨに対応するＨＡＲＱ結果はいずれもターゲットＰＵＣＣＨで運搬された内容によって、すなわちグループＨＡＲＱ結果によってフィードバックする必要がある。
【表６】
2022501976.tif 000016
【０１２３】
同様に表６から分かるように、２つのＰＤＳＣＨがいずれも現在のＰＤＣＣＨでスケジュールされたものであるため、ＤＴＸ、ＡＣＫ（またはＮＡＣＫ）、またはＮＡＣＫ（またはＡＣＫ）、ＤＴＸのような状況は表６に現れることなく、すなわちあるＰＤＳＣＨに対応するＨＡＲＱ結果がＤＴＸである場合はなく、ＡＣＫまたはＮＡＣＫ、またはすべてＤＴＸである可能性しかない。関連技術における上記表を最適化した。
【０１２４】
例２においては、現在のＰＤＣＣＨが３つのＰＤＳＣＨをスケジュールし、ターゲットＨＡＲＱフィードバックと、ターゲットＰＵＣＣＨリソースと、グループフィードバック結果とのマッピング関係の事前の設定は表７に示す通りである。このとき２つの候補ＰＵＣＣＨだけがあり、２つのＰＤＳＣＨに対応するＨＡＲＱ結果は、ターゲットＰＵＣＣＨによって運搬され、すなわちグループＨＡＲＱ結果によってフィードバックする必要があり、別のＰＤＳＣＨに対応するＨＡＲＱ結果はターゲットＰＵＣＣＨリソースによってフィードバックする必要がある。
【表７】
2022501976.tif 000017
【０１２５】
同様に表７から分かるように、３つのＰＤＳＣＨがいずれも現在のＰＤＣＣＨでスケジュールされたものであるため、あるＰＤＳＣＨに対応するＨＡＲＱ結果がＤＴＸである場合は表７に現れることなく、ＡＣＫまたはＮＡＣＫ、またはすべてＤＴＸである可能性しかない。関連技術における上記表を最適化した。
【０１２６】
現在のＰＤＣＣＨが３つのＰＤＳＣＨをスケジュールし、ターゲットＨＡＲＱフィードバックと、ターゲットＰＵＣＣＨリソースと、グループフィードバック結果とのマッピング関係の事前の設定は表８に示す通りである。このとき３つの候補ＰＵＣＣＨがあり、ターゲットＨＡＲＱフィードバック結果は、ターゲットＰＵＣＣＨリソース選択とグループフィードバック結果が連携して特徴づけられる。
【表８】
2022501976.tif 000018
【０１２７】
同様に表８から分かるように、３つのＰＤＳＣＨがいずれも現在のＰＤＣＣＨでスケジュールされたものであるため、あるＰＤＳＣＨに対応するＨＡＲＱ結果がＤＴＸである場合は表８に現れることなく、ＡＣＫまたはＮＡＣＫ、またはすべてＤＴＸである可能性しかない。関連技術における上記表を最適化した。
【０１２８】
現在のＰＤＣＣＨが３つのＰＤＳＣＨをスケジュールし、ターゲットＨＡＲＱフィードバックと、ターゲットＰＵＣＣＨリソースと、グループフィードバック結果とのマッピング関係の事前の設定は表９に示す通りである。このとき４つの候補ＰＵＣＣＨがあり、１つのＰＤＳＣＨに対応するＨＡＲＱ結果は、ターゲットＰＵＣＣＨで運搬された内容によって、すなわちグループＨＡＲＱ結果によってフィードバックする必要があり、他の２つのＰＤＳＣＨに対応するＨＡＲＱ結果は、ターゲットＰＵＣＣＨリソースによってフィードバックする必要がある。
【表９】
2022501976.tif 000019
【０１２９】
同様に表９から分かるように、３つのＰＤＳＣＨがいずれも現在のＰＤＣＣＨでスケジュールされたものであるため、あるＰＤＳＣＨに対応するＨＡＲＱ結果がＤＴＸである場合は表９に現れることなく、ＡＣＫまたはＮＡＣＫ、またはすべてＤＴＸである可能性しかない。関連技術における上記表を最適化した。
【０１３０】
例３においては、現在のＰＤＣＣＨが４つのＰＤＳＣＨをスケジュールし、ターゲットＨＡＲＱフィードバックと、ターゲットＰＵＣＣＨリソースと、グループフィードバック結果とのマッピング関係の事前の設定は表１０に示す通りである。４つの候補ＰＵＣＣＨがある場合、２つのＰＤＳＣＨに対応するＨＡＲＱ結果は、ターゲットＰＵＣＣＨで運搬された内容によって、すなわちグループＨＡＲＱ結果によってフィードバックする必要があり、他の２つのＰＤＳＣＨに対応するＨＡＲＱ結果は、ターゲットＰＵＣＣＨリソースによってフィードバックする必要がある。
【表１０】
2022501976.tif 000020
【０１３１】
同様に表１０から分かるように、４つのＰＤＳＣＨがいずれも現在のＰＤＣＣＨでスケジュールされたものであるため、あるＰＤＳＣＨに対応するＨＡＲＱ結果がＤＴＸである場合は表１０に現れることなく、ＡＣＫまたはＮＡＣＫ、またはすべてＤＴＸである可能性しかない。関連技術における上記表を最適化した。
【０１３２】
上記実施例では、現在のＰＤＣＣＨによりスケジュールされた前記少なくとも１つのターゲットＰＤＳＣＨに基づいて、現在のサブフレームによってＨＡＲＱ結果のフィードバックが必要な少なくとも１つのターゲットＨＡＲＱ結果が正しいか間違っているか、または前記少なくとも１つのターゲットＨＡＲＱ結果がすべて、前記現在のＰＤＣＣＨを受信していないことを決定できる。これによって関連技術においてＨＡＲＱ結果のフィードバックを行う際に、複数のＰＤＣＣＨによって複数のＰＤＳＣＨをスケジュールするため、フィードバックされたＨＡＲＱ結果が正確、誤りまたは前記現在のＰＤＣＣＨが受信されていない場合を含むようにする。
【０１３３】
前述の応用機能実現方法の実施例に対応し、本開示は、応用機能実現装置及び対応するＭＴＣ端末の実施例をさらに提供する。
【０１３４】
図５を参照して、図５は例示的な一実施例によって示されるハイブリッド自動再送要求ＨＡＲＱフィードバック装置のブロック図であり、前記装置は時分割複信マシンタイプ通信ＴＤＤ  ＭＴＣ機器に適用され、前記装置は、
少なくとも１つのターゲットＨＡＲＱ結果を決定するように構成される第１の決定モジュール２１０であって、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨである第１の決定モジュール２１０と、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定するように構成される第２の決定モジュール２２０であって、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられる第２の決定モジュール２２０と、
前記ターゲットＰＵＣＣＨリソースによって前記グループＨＡＲＱ結果を運搬し、前記ターゲットＰＵＣＣＨを基地局に送信するように構成される送信モジュール２３０と、を含む。
【０１３５】
図６を参照して、図６は図５に示される実施例に基づいて示されるもう１つのハイブリッド自動再送要求ＨＡＲＱフィードバック装置のブロック図であり、前記第２の決定モジュール２２０は、
前記少なくとも１つのターゲットＰＤＳＣＨの数が１である場合、前記候補ＰＵＣＣＨに対応するリソースインデックス値である候補インデックス値を決定するように構成される候補インデックス値決定サブモジュール２２１と、
前記候補インデックス値で指示されたＰＵＣＣＨを前記候補ＰＵＣＣＨとするように構成される第１の決定サブモジュール２２２と、を含む。
【０１３６】
図７を参照して、図７は図６に示される実施例に基づいて示されるもう１つのハイブリッド自動再送要求ＨＡＲＱフィードバック装置のブロック図であり、前記候補インデックス値決定サブモジュール２２１は、
第１の予め設定された関数の第１の関数値、ターゲット開始位置に対応する数値、第２の予め設定された関数の第２の関数値及び第１のターゲットオフセット量に基づいて、前記候補インデックス値を決定するように構成される候補インデックス値決定ユニット２２１１であって、
ここで、前記第１の予め設定された関数は、ターゲットサーチスペースのＣＣＥインデックス値に対応する予め設定された関数であり、前記ターゲットＣＣＥインデックス値は、前記現在のＰＤＣＣＨに対応する最小のＣＣＥインデックス値であり、前記ターゲット開始位置は、ＨＡＲＱ結果を運搬するためのＰＵＣＣＨチャンネルに対応するリソースの開始位置であり、前記第２の予め設定された関数は、第１のターゲット値及び第２のターゲット値に対応する予め設定された関数であり、前記第１のターゲット値は、ＴＤＤ  ＭＴＣシステムのサブフレーム配置と現在のサブフレーム位置に対応する数値であり、前記第２のターゲット値は、現在のＰＤＣＣＨを運搬する物理リソースブロックに含まれるＣＣＥの数であり、前記第１のターゲットオフセット量は、前記現在のＰＤＣＣＨで運搬された、ＨＡＲＱ結果をフィードバックするためのＰＵＣＣＨリソースのオフセット量である候補インデックス値決定ユニット２２１１を含む。
【０１３７】
図８を参照して、図８は図５に示される実施例に基づいて示されるもう１つのハイブリッド自動再送要求ＨＡＲＱフィードバック装置のブロック図であり、前記第２の決定モジュール２２０は、
前記少なくとも１つのターゲットＰＤＳＣＨの数が複数である場合、第１の候補インデックス値を決定するように構成される第１のインデックス値決定サブモジュール２２３であって、前記第１の候補インデックス値は少なくとも１つの候補ＰＵＣＣＨにおける最初の候補ＰＵＣＣＨに対応するリソースインデックス値である第１のインデックス値決定サブモジュール２２３と、
前記第１の候補インデックス値で指示されたＰＵＣＣＨを前記最初の候補ＰＵＣＣＨとするように構成される第２の決定サブモジュール２２４と、
他の候補ＰＵＣＣＨにそれぞれ対応する第２のターゲットオフセット量を決定するように構成されるオフセット量決定サブモジュール２２５であって、ここで、前記他の候補ＰＵＣＣＨは最初の候補ＰＵＣＣＨ以外の候補ＰＵＣＣＨであり、前記第２のターゲットオフセット量は最初の候補ＰＵＣＣＨに対する現在の他の候補ＰＵＣＣＨのリソースオフセット量であるオフセット量決定サブモジュール２２５と、
前記最初の候補ＰＵＣＣＨのリソースが存在する位置に対応する数値及び前記第２のターゲットオフセット量に基づいて、第２の候補インデックス値を決定するように構成される第２のインデックス値決定サブモジュール２２６と、
前記第２の候補インデックス値で指示されたＰＵＣＣＨを前記他の候補ＰＵＣＣＨとするように構成される第３の決定サブモジュール２２７と、を含む。
【０１３８】
図９を参照して、図９は図８に示される実施例に基づいて示されるもう１つのハイブリッド自動再送要求ＨＡＲＱフィードバック装置のブロック図であり、前記オフセット量決定サブモジュール２２５は、
基地局が予め設定されたシグナリングを介して送信した、各他の候補ＰＵＣＣＨに対応する第２のターゲットオフセット量を受信するように構成される第１の受信ユニット２２５１、または
予め設定されたリソースオフセット量を前記第２のターゲットオフセット量とするように構成される第２の受信ユニット２２５２を含む。
【０１３９】
図１０を参照して、図１０は図５に示される実施例に基づいて示されるもう１つのハイブリッド自動再送要求ＨＡＲＱフィードバック装置のブロック図であり、前記第２の決定モジュール２２０は、
前記少なくとも１つのターゲットＰＤＳＣＨの数が複数である場合、前記基地局が第１のターゲットシグナリングを介して送信した、少なくとも１つのＰＵＣＣＨを含むＰＵＣＣＨセットを受信するように構成される受信サブモジュール２２８と、
前記ＰＵＣＣＨセットにおけるすべてのＰＵＣＣＨを候補ＰＵＣＣＨとするように構成される第４の決定サブモジュール２２９と、を含む。
【０１４０】
図１１を参照して、図１１は図５に示される実施例に基づいて示されるもう１つのハイブリッド自動再送要求ＨＡＲＱフィードバック装置のブロック図であり、前記第２の決定モジュール２２０は、
複数のターゲットＨＡＲＱ結果、ターゲットＰＵＣＣＨリソース、及びグループＨＡＲＱ結果の間の予め設定されたマッピング関係に基づいて、少なくとも１つの候補ＰＵＣＣＨにおいて１つのターゲットＰＵＣＣＨ及びグループＨＡＲＱ結果を決定するように構成される第５の決定サブモジュール２２１０を含む。
【０１４１】
図１２を参照して、図１２は図５に示される実施例に基づいて示されるもう１つのハイブリッド自動再送要求ＨＡＲＱフィードバック装置のブロック図であり、前記第１の決定モジュール２１０は、
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果が正しいか間違っているかを決定するように構成される第６の決定サブモジュール２１１、または
現在のＰＤＣＣＨによりスケジュールされた前記少なくとも１つのターゲットＰＤＳＣＨに基づいて、前記少なくとも１つのターゲットＰＤＳＣＨにそれぞれ対応する前記ターゲットＨＡＲＱ結果がすべて、前記現在のＰＤＣＣＨを受信していないと決定するように構成される第７の決定サブモジュール２１２を含む。
【０１４２】
装置実施例については、基本的に方法実施例に対応するので、関連する箇所は方法実施例の一部の説明を参照すればよい。上記装置の実施例は例示的なものであり、上記にて別別々の部材として説明されたユニットは物理的に分離されていてもよいし、物理的に分離されていなくてもよい、ユニットとして表示されるユニットは物理的なユニットであってもよいし、物理的なユニットでなくてもよい。すなわち１箇所に配置されていてもよいし、複数のネットワークユニットに分散されていてもよい。実際のニーズに基づいてその一部または全部のモジュールを選択して、本開示の案の目的を実現することができる。当業者は創造的な労働を払うことなく理解しかつ実施することができる。
【０１４３】
対応的に、本開示は、コンピュータプログラムが記憶されているコンピュータ読み取り可能な記憶媒体をさらに提供し、前記コンピュータプログラムは、上記いずれかの記載のハイブリッド自動再送要求ＨＡＲＱフィードバック方法を実行するために用いられる。
【０１４４】
対応的に、本開示は、ハイブリッド自動再送要求ＨＡＲＱフィードバック装置をさらに提供し、前記装置は時分割複信マシンタイプ通信ＴＤＤ  ＭＴＣ機器に適用され、
プロセッサと、
プロセッサによって実行可能な命令を記憶するためのメモリと、を含み、
ここで、前記プロセッサは、
少なくとも１つのターゲットＨＡＲＱ結果を決定し、前記少なくとも１つのターゲットＨＡＲＱ結果は、少なくとも１つのターゲット物理ダウンリンク共有チャンネルＰＤＳＣＨにそれぞれ対応するＨＡＲＱ結果であり、前記少なくとも１つのターゲットＰＤＳＣＨは、現在の物理ダウンリンク制御チャンネルＰＤＣＣＨによりスケジュールされたすべてのＰＤＳＣＨのうち、現在のサブフレームでＨＡＲＱ結果のフィードバックが必要な少なくとも１つのＰＤＳＣＨであり、
前記少なくとも１つのターゲットＨＡＲＱ結果に基づいて、少なくとも１つの候補物理アップリンク制御チャンネルＰＵＣＣＨにおいて１つのターゲットＰＵＣＣＨ及びグループＨＡＲＱ結果を決定し、前記ターゲットＰＵＣＣＨは、対応するターゲットＰＵＣＣＨリソースがグループＨＡＲＱ結果を運搬するために用いられるＰＵＣＣＨであり、前記グループＨＡＲＱ結果及び前記ターゲットＰＵＣＣＨリソースは、前記複数のターゲットＨＡＲＱ結果を特徴づけるために用いられ、
前記ターゲットＰＵＣＣＨリソースによって前記グループＨＡＲＱ結果を運搬し、前記ターゲットＰＵＣＣＨを基地局に送信するように構成される。
【０１４５】
図１３に示すように、図１３は例示的な一実施例によって示されるハイブリッド自動再送要求ＨＡＲＱフィードバック装置１３００の一概略構成図である。装置１３００はＮＢ−ＩＯＴ機器として提供できる。図１３を参照して、装置１３００は、処理コンポーネント１３２２と、無線送受信コンポーネント１３２４と、アンテナコンポーネント１３２６と、無線インターフェース特有の信号処理部分と、を含み、処理コンポーネント１３２２は１つのまたは複数のプロセッサをさらに含むことができる。
【０１４６】
処理コンポーネント１３２２の中の１つのプロセッサは、上記いずれかに記載の時分割複信マシンタイプ通信ＴＤＤ  ＭＴＣ機器のためのハイブリッド自動再送要求ＨＡＲＱフィードバック方法を実行するように構成される。
【０１４７】
当業者は明細書を考慮し、および明細書に開示された内容を実施すると、本開示の他の実施形態に容易に想到し得る。本開示は本開示のあらゆる変形、用途または適応的変化をカバーすることを意図しており、これらの変形、用途または適応的変化は本開示の一般原則に従い、本開示に開示されていない本技術分野における周知技術または慣用されている技術手段を含む。明細書および実施例は例示のみとして見なされ、本開示の真の範囲および精神は以下の特許請求の範囲によって示される。
【０１４８】
なお、本開示は、上記に記載されかつ図面において示されている正確な構造に限定されず、その範囲から逸脱することなく、様々な修正および変更を行うことができることを理解されたい。本開示の範囲は添付の特許請求の範囲のみによって限定される。
【図１】
2022501976.tif 000021
【図２】
2022501976.tif 000022
【図３】
2022501976.tif 000023
【図４】
2022501976.tif 000024
【図５】
2022501976.tif 000025
【図６】
2022501976.tif 000026
【図７】
2022501976.tif 000027
【図８】
2022501976.tif 000028
【図９】
2022501976.tif 000029
【図１０】
2022501976.tif 000030
【図１１】
2022501976.tif 000031
【図１２】
2022501976.tif 000032
【図１３】
2022501976.tif 000033
【国際調査報告】
2022501976.tif 000034
2022501976.tif 000035
2022501976.tif 000036
2022501976.tif 000037